(57)【要約】【課題】発光領域の面積比率を大きくできる照明装置及び照明システムを提供する。【解決手段】実施形態に係る照明装置は、第１及び第２基板と封止部と素子部と吸湿部と第１遮光部とを備える。第１基板は、第１面と、第１面と対向する第２面とを有し、第１面は第１及び第２領域を有し、第２面は第１領域と対向する第３領域と第２領域と対向する第４領域とを有する。第２基板は、第１面と対向する第３面と第３面と対向する第４面とを有し、第４面は第１領域と対向する第５領域と第２領域と対向する第６領域とを有する。素子部は、第１及び第２領域の上の第１電極と、第１電極と第２基板との間の第２電極と、第１及び第２電極の間の有機層と、を有する。吸湿部は、第２及び第６領域の間に設けられ、第５領域と対向しない。第１遮光部は第６領域と対向し第５領域と対向しない。【選択図】図１
2016001665.tif 000002
【特許請求の範囲】
【請求項１】
光透過性の第１基板であって、第１面と前記第１面と対向する第２面とを有し、前記第１面は第１領域と第２領域とを有し、前記第２面は前記第１領域と対向する第３領域と前記第２領域と対向する第４領域とを有する、第１基板と、
光透過性の第２基板であって、前記第１面と対向する第３面と前記第３面と対向する第４面とを有し、前記第４面は前記第１領域と対向する第５領域と前記第２領域と対向する第６領域とを有する、第２基板と、
前記第１基板と前記第２基板の間に設けられた封止部と、
前記第１基板と前記第２基板と前記封止部とに囲まれた空間内に設けられた素子部であって、
前記第１領域の上及び前記第２領域の上に設けられた光透過性の第１電極と、
前記第１領域の上及び前記第２領域の上において前記第１電極と前記第２基板との間に設けられ、光の透過可能な部分を含む第２電極と、
前記第１電極と前記第２電極との間に設けられた有機層と、
を有する素子部と、
前記第２領域と前記第６領域との間に設けられ、前記第５領域と対向しない吸湿部と、
前記第６領域と対向し、前記第５領域と対向しない第１遮光部と、
を備えた照明装置。
【請求項２】
前記吸湿部は、前記第１遮光部の一部と対向する請求項１記載の照明装置。
【請求項３】
前記第２領域は、前記第１領域の外縁の少なくとも一部に沿い、
前記第４領域は、前記第３領域の外縁の少なくとも一部に沿い、
前記第６領域は、前記第５領域の外縁の少なくとも一部に沿う請求項１又は２に記載の照明装置。
【請求項４】
第２遮光部をさらに備え、
前記第１基板は、前記第２基板と前記第２遮光部との間に配置され、
前記吸湿部の少なくとも一部は、前記第２遮光部と対向せず、
前記第２遮光部は、前記第４領域と対向し、前記第３領域と対向しない請求項１〜３のいずれか１つに記載の照明装置。
【請求項５】
前記第１遮光部と前記第２遮光部とを接続する第３遮光部をさらに備えた請求項４記載の照明装置。
【請求項６】
前記第２電極は、開口部と、光反射性の導電部と、を有する請求項１〜５のいずれか１つに記載の照明装置。
【請求項７】
前記第２電極は、
複数の前記導電部と、
それぞれが前記複数の導電部のそれぞれの間に設けられた複数の前記開口部と、
を含む請求項６記載の照明装置。
【請求項８】
前記第１遮光部は、前記第２基板と対向する対向面を有し、
前記対向面を反射した光のピーク波長は、前記吸湿部で反射した光のピーク波長の０．８倍以上１．２倍以下である請求項１〜７のいずれか１つに記載の照明装置。
【請求項９】
前記第１遮光部は、前記第２基板と対向する対向面を有し、
前記対向面の光の反射率は、前記吸湿部の光の反射率の０．８倍以上１．２倍以下である請求項１〜７のいずれか１つに記載の照明装置。
【請求項１０】
前記第１遮光部は、前記第２基板と対向する対向面を有し、
前記対向面の光の反射率は、２０％以下である請求項１〜７のいずれか１つに記載の照明装置。
【請求項１１】
前記第１遮光部と前記第２基板との間に設けられた中間層をさらに備えた請求項１〜１０のいずれか１つに記載の照明装置。
【請求項１２】
前記第１遮光部と前記第２基板との間に設けられ、前記第１電極及び前記第２電極の少なくとも一方と電気的に接続された回路部をさらに備えた請求項１〜１１のいずれか１つに記載の照明装置。
【請求項１３】
前記第１電極及び前記第２電極の少なくとも一方と電気的に接続された回路部であって、前記第２基板と前記回路部との間に前記第１遮光部が設けられた回路部をさらに備えた請求項１〜１２のいずれか１つに記載の照明装置。
【請求項１４】
前記第１電極と前記第２電極とに電気的に接続され、前記第１電極及び前記第２電極を介して前記有機層に電流を供給する電源部をさらに備えた請求項１〜１３のいずれか１つに記載の照明装置。
【請求項１５】
複数の照明装置であって、
前記複数の照明装置のそれぞれは、
光透過性の第１基板であって、第１面と前記第１面と対向する第２面とを有し、前記第１面は第１領域と第２領域とを有し、前記第２面は前記第１領域と対向する第３領域と前記第２領域と対向する第４領域とを有する、第１基板と、
光透過性の第２基板であって、前記第１面と対向する第３面と前記第３面と対向する第４面とを有し、前記第４面は前記第１領域と対向する第５領域と前記第２領域と対向する第６領域とを有する、第２基板と、
前記第１基板と前記第２基板の間に設けられた封止部と、
前記第１基板と前記第２基板と前記封止部とに囲まれた空間内に設けられた素子部であって、
前記第１領域の上及び前記第２領域の上に設けられた光透過性の第１電極と、
前記第１電極と前記第２基板との間に設けられ、光の透過可能な部分を含む第２電極と、
前記第１電極と前記第２電極との間に設けられた有機層と、
を有する素子部と、
前記第２領域と前記第６領域との間に設けられ、前記第５領域と対向しない吸湿部と、
前記第６領域と対向し、前記第５領域と対向しない第１遮光部と、
を含む
複数の照明装置と、
前記複数の照明装置のそれぞれと電気的に接続され、前記複数の照明装置のそれぞれの発光・非発光を制御する制御部と、
を備えた照明システム。
【発明の詳細な説明】
【技術分野】
【０００１】
本発明の実施形態は、照明装置及び照明システムに関する。
【背景技術】
【０００２】
光透過性の第１電極と、第２電極と、第１電極と第２電極との間に設けられた有機層と、を含む有機電界発光素子を光源として用いる照明装置がある。複数の照明装置と、これら複数の照明装置の発光及び非発光を制御する制御部と、を含む照明システムがある。有機電界発光素子を用いた照明装置では、複数の開口が設けられた細線状の第２電極や、光透過性の第２電極を用いることにより、光透過性を持たせることが行われている。こうした照明装置では、装置全体の面積に対する発光領域の面積比率を大きくすることが望まれる。
【先行技術文献】
【特許文献】
【０００３】
【特許文献１】特開２０１１−２４９５４１号公報
【発明の概要】
【発明が解決しようとする課題】
【０００４】
本発明の実施形態は、発光領域の面積比率を大きくできる照明装置及び照明システムを提供する。
【課題を解決するための手段】
【０００５】
本発明の実施形態によれば、第１基板と、第２基板と、封止部と、素子部と、吸湿部と、第１遮光部と、を備えた照明装置が提供される。前記第１基板は、光透過性である。前記第１基板は、第１面と前記第１面と対向する第２面とを有し、前記第１面は第１領域と第２領域とを有し、前記第２面は前記第１領域と対向する第３領域と前記第２領域と対向する第４領域とを有する。前記第２基板は、光透過性である。前記第２基板は、前記第１面と対向する第３面と前記第３面と対向する第４面とを有し、前記第４面は前記第１領域と対向する第５領域と前記第２領域と対向する第６領域とを有する。前記封止部は、前記第１基板と前記第２基板の間に設けられる。前記素子部は、前記第１基板と前記第２基板と前記封止部とに囲まれた空間内に設けられる。前記素子部は、前記第１領域の上及び前記第２領域の上に設けられた光透過性の第１電極と、前記第１領域の上及び前記第２領域の上において前記第１電極と前記第２基板との間に設けられ、光の透過可能な部分を含む第２電極と、前記第１電極と前記第２電極との間に設けられた有機層と、を有する。前記吸湿部は、前記第２領域と前記第６領域との間に設けられ、前記第５領域と対向しない。前記第１遮光部は、前記第６領域と対向し、前記第５領域と対向しない。
【図面の簡単な説明】
【０００６】
【図１】図１（ａ）及び図１（ｂ）は、第１の実施形態に係る照明装置を表す模式図である。
【図２】図２（ａ）及び図２（ｂ）は、第１の実施形態に係る照明装置の一部を表す模式図である。
【図３】図３は、第１の実施形態に係る別の照明装置の一部を模式的に表す平面図である。
【図４】図４（ａ）及び図４（ｂ）は、第１の実施形態に係る別の照明装置を模式的に表す断面図である。
【図５】図５（ａ）及び図５（ｂ）は、第１の実施形態に係る別の照明装置を模式的に表す断面図である。
【図６】第１の実施形態に係る別の照明装置を模式的に表す断面図である。
【図７】第１の実施形態に係る別の照明装置を模式的に表す断面図である。
【図８】図８（ａ）及び図８（ｂ）は、第１の実施形態に係る別の照明装置を表す模式図である。
【図９】図９（ａ）及び図９（ｂ）は、第１の実施形態に係る別の照明装置を模式的に表す断面図である。
【図１０】図１０（ａ）〜図１０（ｅ）は、第１の実施形態に係る別の照明装置の一部を模式的に表す平面図である。
【図１１】第１の実施形態に係る別の照明装置の一部を模式的に表す断面図である。
【図１２】図１２（ａ）及び図１２（ｂ）は、第１の実施形態に係る別の照明装置を模式的に表す断面図である。
【図１３】第１の実施形態に係る別の照明装置を表す模式図である。
【図１４】図１４（ａ）〜図１４（ｃ）は、第２の実施形態に係る照明システムを表す模式図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）
図１（ａ）及び図１（ｂ）は、第１の実施形態に係る照明装置を表す模式図である。  
図１（ａ）は、照明装置１１０の模式的断面図であり、図１（ｂ）は、照明装置１１０の模式的平面図である。図１（ａ）は、図１（ｂ）のＡ１−Ａ２線断面を模式的に表す。
【０００９】
図１（ａ）及び図１（ｂ）に表したように、照明装置１１０は、第１基板５１と、第２基板５２と、素子部５４と、吸湿部５６と、第１遮光部６１と、を含む。なお、図１（ｂ）では、便宜的に第２基板５２、素子部５４などの図示を省略している。
【００１０】
第１基板５１は、光透過性である。第１基板５１は、例えば、透明である。第２基板５２は、第１方向において第１基板５１と並ぶ。換言すれば、第２基板５２は、第１基板５１と対向する。第２基板５２は、光透過性である。第２基板５２は、例えば、透明である。
【００１１】
第１基板５１は、第１面Ｓ１と、第１面Ｓ１と対向する第２面Ｓ２と、を有する。第２面Ｓ２は、換言すれば、第１面Ｓ１と反対側を向く面である。第１面Ｓ１は、第１領域Ｒ１と第２領域Ｒ２とを有する。第２面Ｓ２は、第１領域Ｒ１と対向する第３領域Ｒ３と、第２領域Ｓ２と対向する第４領域Ｓ４と、を有する。
【００１２】
第２基板５２は、第１面Ｓ１と対向する第３面Ｓ３と、第３面Ｓ３と対向する第４面Ｓ４と、を有する。第４面Ｓ４は、換言すれば、第３面Ｓ３と反対側を向く面である。第４面Ｓ４は、第１領域Ｒ１と対向する第５領域Ｒ５と、第２領域Ｒ２と対向する第６領域Ｒ６と、を有する。
【００１３】
第１基板５１と第２基板５２との間には、封止部５８が設けられる。封止部５８は、例えば、第２基板５２を第１基板５１に接着する。封止部５８は、例えば、第２基板５２を第１基板５１に溶着してもよい。
【００１４】
第２領域Ｒ２は、例えば、第１領域Ｒ１の外縁に沿う。第２領域Ｒ２は、例えば、第１領域Ｒ１の外縁の一部に沿う。すなわち、第２領域Ｒ２は、第１領域Ｒ１の外縁の少なくとも一部に沿う。例えば、第４領域Ｒ４は、第３領域Ｒ３の外縁の少なくとも一部に沿う。例えば、第６領域Ｒ６は、第５領域Ｒ５の外縁の少なくとも一部に沿う。この例において、第２領域Ｒ２は、第１領域Ｒ１を囲む。第４領域Ｒ４は、第３領域Ｒ３を囲む。第６領域Ｒ６は、第５領域Ｒ５を囲む。
【００１５】
ここで、第１基板５１と第２基板５２との並ぶ第１方向に対して平行な方向をＺ軸方向とする。Ｚ軸方向に対して垂直な１つの方向をＸ軸方向とする。Ｘ軸方向及びＺ軸方向に対して垂直な方向をＹ軸方向とする。Ｚ軸方向は、第１基板５１及び第２基板５２の厚さ方向に相当する。
【００１６】
素子部５４は、第１基板５１と第２基板５２と封止部５８とに囲まれた空間内に設けられる。素子部５４は、第１基板５１と第２基板５２と封止部５８とによって封止される。第２基板５２には、第１基板５１と対向する第３面Ｓ３に凹部が設けられている。凹部は、素子部５４を収容可能な形状に形成される。第２基板５２は、凹部によって素子部５４を封止する空間を形成する。第２基板５２は、例えば、封止部５８を介して第１基板５１に接着される。封止部５８は、第２基板５２の第１基板５１と対向する面において、凹部を囲むように環状に塗布される。これにより、第１基板５１と第２基板５２と封止部５８とによって、素子部５４が封止される。
【００１７】
凹部は、第１基板５１に設けてもよい。なお、凹部は、必ずしも設けなくてもよい。すなわち、第１基板５１と第２基板５２との双方が平板状でもよい。凹部を設けない場合には、例えば、封止部５８に複数のスペーサを分散させる。このように、第１基板５１と第２基板５２との間に複数のスペーサを設け、各スペーサによって素子部５４を封止する空間を形成してもよい。
【００１８】
素子部５４は、第１電極１０と、第２電極２０と、有機層３０と、を含む。第１電極１０は、光透過性である。第１電極１０は、例えば、透明電極である。第１電極１０は、第１領域Ｒ１の上及び第２領域Ｒ２の上に設けられる。
【００１９】
第２電極２０は、有機層３０と第２基板５２との間に設けられる。第２電極２０は、光の透過可能な部分を含む。第２電極２０は、第１領域Ｒ１の上及び第２領域Ｒ２の上において第１電極１０と第２基板５２との間に設けられる。第２電極２０は、導電部２０ａと開口部２０ｂとを有する。この例では、第２電極２０が、導電部２０ａと、複数の開口部２０ｂと、を含む。第２電極２０は、複数の開口部２０ｂにおいて光の透過を可能にする。開口部２０ｂは、有機層３０の一部を露呈させる。この例では、第２電極２０が、複数の導電部２０ａを含む。複数の導電部２０ａのそれぞれは、第１方向（Ｚ軸方向）と交差する第２方向に延び、第１方向及び第２方向と交差する第３方向に並ぶ。
【００２０】
この例では、複数の導電部２０ａのそれぞれが、Ｙ軸方向に延び、Ｘ軸方向に並ぶ。すなわち、この例では、第２方向がＹ軸方向であり、第３方向がＸ軸方向である。第２方向は、Ｙ軸方向に限ることなく、第１方向と交差する任意の方向でよい。第３方向は、Ｘ軸方向に限ることなく、第１方向及び第２方向と交差する任意の方向でよい。
【００２１】
複数の開口部２０ｂのそれぞれは、複数の導電部２０ａのそれぞれの間に配置される。複数の開口部２０ｂのそれぞれは、例えば、Ｙ軸方向に延びる溝状である。すなわち、この例では、第２電極２０が、ストライプ状である。
【００２２】
第２電極２０の各導電部２０ａは、例えば、光反射性を有する。各導電部２０ａの光反射率は、第１電極１０の光反射率よりも高い。本願明細書においては、第１電極１０の光反射率よりも高い光反射率を有している状態を光反射性という。この場合には、各開口部２０ｂが、光の透過可能な部分となる。各導電部２０ａは、光透過性でもよい。第２電極２０は、光反射性でもよいし、光透過性でもよい。
【００２３】
有機層３０は、第１電極１０と第２基板５２との間に設けられる。有機層３０は、第１電極１０と第２電極２０との間に設けられる。有機層３０は、有機発光層を含む。有機層３０は、例えば、光透過性を有する。有機層３０は、例えば、非発光状態において光透過性を有する。
【００２４】
この例において、素子部５４は、絶縁層４０をさらに含む。絶縁層４０は、第１電極１０と有機層３０との間に設けられる。すなわち、絶縁層４０は、第１電極１０の上に設けられる。有機層３０は、絶縁層４０の上に設けられる。絶縁層４０は、例えば、絶縁部４０ａと、開口部４０ｂと、を含む。開口部４０ｂは、第１電極１０の一部を露呈させる。開口部４０ｂは、Ｘ−Ｙ平面（Ｚ軸方向に対して垂直な平面）に投影した時に、第２電極２０の導電部２０ａと重なる位置に配置される。換言すれば、開口部４０ｂは、Ｚ軸方向に見たときに、導電部２０ａと重なる位置に配置される。絶縁層４０は、光透過性である。絶縁層４０は、例えば、透明である。
【００２５】
この例では、絶縁層４０が、複数の開口部４０ｂを含む。複数の開口部４０ｂのそれぞれは、Ｙ軸方向に延び、Ｘ軸方向に並ぶ。複数の開口部４０ｂのそれぞれは、例えば、溝状である。絶縁層４０は、例えば、ストライプ状である。この例では、複数の開口部４０ｂのそれぞれにより、第１電極１０の複数の部分が露呈される。以下では、第１電極１０のうちの開口部４０ｂによって露呈された部分を、露呈部１０ｐと称す。
【００２６】
この例では、Ｘ−Ｙ平面に投影した時に、複数の導電部２０ａのそれぞれが、複数の開口部４０ｂのいずれかと重なる。この例では、Ｘ−Ｙ平面に投影した時に、複数の導電部２０ａのそれぞれが、複数の開口部４０ｂのそれぞれと重なる。例えば、Ｘ−Ｙ平面に投影した時に、少なくとも１つの開口部４０ｂが、複数の導電部２０ａのそれぞれの間に配置されてもよい。
【００２７】
有機層３０は、Ｘ−Ｙ平面に投影した時に、絶縁層４０の開口部４０ｂと重なる第１部分３０ａと、絶縁部４０ａと重なる第２部分３０ｂと、を含む。有機層３０は、例えば、絶縁部４０ａの上及び複数の露呈部１０ｐのそれぞれの上に、連続して設けられる。このように、有機層３０の少なくとも一部は、第１電極１０の上において開口部４０ｂに設けられる。第２電極２０の少なくとも一部は、有機層３０のうちの、開口部４０ｂに設けられた少なくとも一部の上に設けられる。
【００２８】
なお、有機層３０は、絶縁部４０ａと重ならなくても良い。すなわち、有機層３０は、絶縁層４０の開口部４０ｂにのみ設けられていても良い。
【００２９】
有機層３０の厚さ（Ｚ軸方向に沿う長さ）は、絶縁層４０（絶縁部４０ａ）の厚さよりも薄い。有機層３０の第１部分３０ａの第１電極１０との界面（第１部分３０ａの下面）及び第１部分３０ａの第２電極２０との界面（第１部分３０ａの上面）のＺ軸方向の距離は、絶縁層４０の絶縁部４０ａのＺ軸方向の端部と第１電極１０との間のＺ軸方向の距離よりも短い。すなわち、第１部分３０ａの第２電極２０との界面（第１部分３０ａの上面）は、絶縁部４０ａの第１電極１０側と反対側の端部（絶縁部４０ａの上面）よりも下に位置する。これにより、例えば、第２電極２０の形成の際に、有機層３０を傷付けてしまうことを抑制することができる。
【００３０】
有機層３０は、複数の開口部４０ｂのそれぞれを介して第１電極１０と電気的に接続される。有機層３０の複数の第１部分３０ａのそれぞれは、例えば、第１電極１０の複数の露呈部１０ｐのそれぞれに接する。これにより、有機層３０が、第１電極１０と電気的に接続される。
【００３１】
有機層３０は、第２電極２０と電気的に接続される。有機層３０は、例えば、複数の導電部２０ａのそれぞれに接する。これにより、有機層３０が、第２電極２０と電気的に接続される。なお、本願明細書において、「電気的に接続」には、直接接触する場合のほか、間に他の導電部材などが介在する場合も含む。
【００３２】
第１電極１０と第２電極２０とを用いて有機層３０に電流を流す。これにより、有機層３０が発光する。有機層３０は、例えば、電流が流れた場合に、電子と正孔とを再結合させ、励起子を生成する。有機層３０は、例えば、励起子が放射失活する際の光の放出を利用して発光する。
【００３３】
照明装置１１０では、有機層３０のうちの露呈部１０ｐと導電部２０ａとの間の部分が、発光部ＥＵとなる。この例において、有機層３０は、複数の露呈部１０ｐと複数の導電部２０ａとの間の複数の発光部ＥＵを有する。発光部ＥＵから発せられた発光ＥＬは、第１電極１０を介して、照明装置１１０の外部に出射する。発光ＥＬの一部は、第２電極２０で反射し、有機層３０及び第１電極１０を介して外部に出射する。すなわち、照明装置１１０は、片面発光型である。
【００３４】
また、照明装置１１０では、外部から入射する外光ＯＬが、複数の導電部２０ａのそれぞれの間の部分の第１電極１０、有機層３０、絶縁層４０、第１基板５１及び第２基板５２を透過する。このように、照明装置１１０は、発光ＥＬを出射させつつ、外部から照明装置１１０に入射する外光ＯＬを透過させる。このように、照明装置１１０は、光透過性を有する。これにより、照明装置１１０では、照明装置１１０を介して、背景の像を視認できる。すなわち、照明装置１１０は、シースルー可能な薄膜状または板状の光源である。
【００３５】
このように、照明装置１１０によれば、光透過性の照明装置を提供できる。この照明装置１１０の場合、照明機能の他に、背景像を透過させる機能により、種々の新たな応用が可能になる。
【００３６】
素子部５４は、有機層３０から光が放出される発光領域ＥＡと、Ｘ−Ｙ平面に投影した時に発光領域ＥＡの周りの外縁領域ＯＡと、を有する。この例において、発光領域ＥＡは、各発光部ＥＵの並ぶ矩形状の領域である。外縁領域ＯＡは、発光領域ＥＡを囲む環状の領域である。外縁領域ＯＡは、換言すれば、非発光領域である。外縁領域ＯＡは、必ずしも発光領域ＥＡを囲まなくてもよい。外縁領域ＯＡは、発光領域ＥＡの外縁に沿う任意の形状でよい。例えば、素子部５４は、発光領域ＥＡの外縁に沿って配置された複数の外縁領域ＯＡを有してもよい。また、発光領域ＥＡは、第１発光領域Ｅ１と、Ｘ−Ｙ平面に投影した時に第１発光領域Ｅ１と外縁領域ＯＡとの間の第２発光領域Ｅ２と、を有する。第１発光領域Ｅ１は、例えば、Ｘ−Ｙ平面に投影した時に、第１領域Ｒ１、第３領域Ｒ３及び第５領域Ｒ５に重なる。
【００３７】
この例では、第１電極１０が、隣り合う２つの発光部ＥＵにおいて連続している。隣り合う２つの発光部ＥＵの一方に含まれる第１電極１０は、隣り合う２つの発光部ＥＵの他方に含まれる第１電極１０と連続する。
【００３８】
同様に、有機層３０は、隣り合う２つの発光部ＥＵにおいて連続している。この例では、隣り合う２つの発光部ＥＵにおいて、共通に形成された有機層３０が用いられる。隣り合う２つの発光部ＥＵの一方に含まれる有機層３０の材料は、隣り合う２つの発光部ＥＵの他方に含まれる有機層３０の材料と実質的に同じである。従って、隣り合う２つの発光部ＥＵの一方から放出される発光ＥＬの波長は、隣り合う２つの発光部ＥＵの他方から放出される発光ＥＬの波長と実質的に同じである。例えば、一方の発光ＥＬのピーク波長は、他方の発光ＥＬのピーク波長の０．８倍以上１．２倍以下である。換言すれば、隣り合う２つの発光部ＥＵの一方から放出される発光ＥＬの色は、隣り合う２つの発光部ＥＵの他方から放出される発光ＥＬの色と実質的に同じである。
【００３９】
また、第２電極２０の各導電部２０ａは、スイッチング素子などを介することなく導電性部材を介して互いに電気的に接続されている。これにより、各導電部２０ａは、実質的に一定の電位に設定される。従って、照明装置１１０では、第１電極１０と第２電極２０との間に１種類の電圧を印加するだけで、各発光部ＥＵのそれぞれから実質的に一定の光量の発光ＥＬが放出される。照明装置１１０では、各発光部ＥＵのそれぞれから実質的に一定の色及び光量の発光ＥＬが放出される。照明装置１１０では、例えば、発光領域ＥＡの全面において、実質的に均一の色及び光量の光が放出される。各導電部２０ａを電気的に接続する導電性部材の材料は、導電部２０ａの材料と異なってもよいし、同じでもよい。すなわち、各導電部２０ａのそれぞれは、連続していてもよい。
【００４０】
なお、第１電極１０及び有機層３０は、隣り合う２つの発光部ＥＵにおいて必ずしも連続していなくてもよい。例えば、連続しない場合においても、パターニングなどにより、第１電極１０及び有機層３０は、隣り合う２つの発光部ＥＵにおいて、共通に形成される。
【００４１】
吸湿部５６は、素子部５４と第２基板５２との間に設けられる。吸湿部５６は、第２領域Ｒ２と第６領域Ｒ６との間に設けられる。吸湿部５６は、第５領域Ｒ５と対向しない。吸湿部５６は、例えば、第６領域Ｒ６の一部と対向する。吸湿部５６は、例えば、Ｘ−Ｙ平面（第１面Ｓ１に対して平行な面）に投影した時に、第６領域Ｒ６の一部に重なり、第５領域Ｒ５に重ならない。吸湿部５６は、例えば第６領域Ｒ６の一部に設けられた第２電極２０の導電部２０ａと対向する。第６領域Ｒ６において、吸湿部５６は、例えば、第１電極１０と、絶縁層４０の開口部４０ｂに設けられた有機層３０と、この有機層３０の上に設けられた第２電極２０と、が積層された部分と対向する。
【００４２】
吸湿部５６は、例えば、第２基板５２の第１基板５１と対向する第３面Ｓ３に取り付けられる。吸湿部５６は、例えば、第２基板５２の凹部の底面に設けられる。吸湿部５６は、Ｘ−Ｙ平面に投影した時に、外縁領域ＯＡの少なくとも一部に重なるとともに、第２発光領域Ｅ２の少なくとも一部と重なる。すなわち、吸湿部５６は、素子部５４の外縁付近に配置される。そして、吸湿部５６は、Ｘ−Ｙ平面に投影した時に、第１発光領域Ｅ１に重ならない。吸湿部５６は、例えば、不透明である。発光領域ＥＡのうちの吸湿部５６と重ならない部分（第１発光領域Ｅ１）において、外光ＯＬが透過する。吸湿部５６は、例えば、透明でもよい。
【００４３】
吸湿部５６は、吸湿性を有する。吸湿部５６は、例えば、水分（水分子）を吸着させる。吸湿部５６による水分の吸着は、物理吸着でもよいし、化学吸着でもよい。吸湿部５６は、例えば、酸素吸着性をさらに有してもよい。吸湿部５６は、例えば、第１基板５１と第２基板５２と封止部５８とで封止された空間内を乾燥させる。これにより、吸湿部５６は、素子部５４を水分などから保護する。吸湿部５６は、例えば、素子部５４の劣化を抑制する。吸湿部５６は、例えば、照明装置１１０の保管寿命の低下を抑制する。吸湿部５６は、換言すれば、乾燥材である。吸湿部５６は、いわゆる中空封止を行う。封止された空間内は、例えば、空気層である。例えば、Ｎ２やＡｒなどの不活性ガスを空間内に充填してもよい。
【００４４】
この例では、６つの吸湿部５６が、発光領域ＥＡの外縁に沿って環状に配置されている。この例において、各吸湿部５６の形状は、線状である。吸湿部５６の形状及び数は、上記に限ることなく、任意でよい。例えば、吸湿部５６は、環状に形成された１つの部材でもよい。
【００４５】
第２基板５２は、第１基板５１と第１遮光部６１との間に設けられる。すなわち、第１遮光部６１は、第２基板５２の第１基板５１と対向する面と反対側の面上に設けられる。すなわち、第１遮光部６１は、第２基板５２の第４面Ｓ４の上に設けられる。第１遮光部６１の一部は、Ｘ−Ｙ平面に投影した時に、吸湿部５６に重なる。第１遮光部６１の少なくとも一部は、第６領域Ｒ６と対向する。第１遮光部６１は、第５領域Ｒ５とは対向しない。第１遮光部６１は、第３領域Ｒ３とは対向しない。換言すれば、第１遮光部６１は、Ｘ−Ｙ平面に投影した時に、第６領域Ｒ６に重なり、第５領域Ｒ５に重ならない。第１遮光部６１は、第６領域Ｒ６の全体と対向してもよい。
【００４６】
吸湿部５６が複数設けられる場合には、第１遮光部６１は、例えば、Ｘ−Ｙ平面に投影した時に、複数の吸湿部５６のそれぞれに重なる。例えば、複数の第１遮光部６１を設け、Ｘ−Ｙ平面に投影した時に、複数の第１遮光部６１のそれぞれが、複数の吸湿部５６のそれぞれに重なるようにしてもよい。
【００４７】
また、第１遮光部６１は、Ｘ−Ｙ平面に投影した時に、第１発光領域Ｅ１に重ならない。換言すれば、第１遮光部６１は、Ｘ−Ｙ平面に投影した時に、発光領域ＥＡの一部を露呈させる。これにより、第１遮光部６１は、第２基板５２側から見た時に、吸湿部５６を覆い隠すとともに、発光領域ＥＡに重ならない部分において光を透過させる。このように、照明装置１１０では、Ｘ−Ｙ平面に投影した時に、素子部５４のうちの第１遮光部６１と重ならない部分が、光の透過領域ＰＡとなる。すなわち、第１発光領域Ｅ１が、透過領域ＰＡとなる。第１領域Ｒ１、第３領域Ｒ３及び第５領域Ｒ５は、透過領域ＰＡである。
【００４８】
第１遮光部６１は、例えば、発光領域ＥＡの外縁に沿う環状である。換言すれば、第１遮光部６１は、枠状である。第１遮光部６１の形状は、これに限ることなく、発光領域ＥＡの形状や吸湿部５６の形状に応じた任意の形状でよい。
【００４９】
この例において、照明装置１１０は、第２遮光部６２と、第３遮光部６３と、をさらに含む。第１基板５１は、第２基板５２と第２遮光部６２との間に設けられる。すなわち、第２遮光部６２は、第１基板５１の第２基板５２と対向する面と反対側の面上に設けられる。換言すれば、第２遮光部６２は、第１基板５１の下に設けられる。
【００５０】
第２遮光部６２は、第４領域Ｒ４と対向し、第３領域Ｒ３と対向しない。吸湿部５６の少なくとも一部は、第２遮光部６２と対向しない。第２遮光部６２は、Ｘ−Ｙ平面に投影した時に、外縁領域ＯＡの少なくとも一部に重なるとともに、吸湿部５６の少なくとも一部に重ならない。この例では、Ｘ−Ｙ平面に投影した時に、第２遮光部６２が、吸湿部５６の一部に重なる。第２遮光部６２は、Ｘ−Ｙ平面に投影した時に、吸湿部５６に重ならなくてもよい。
【００５１】
また、第２遮光部６２は、Ｘ−Ｙ平面に投影した時に、第１発光領域Ｅ１に重ならない。第２遮光部６２は、例えば、Ｘ−Ｙ平面に投影した時に、発光領域ＥＡに重ならない。第２遮光部６２は、例えば、Ｘ−Ｙ平面に投影した時に、第２発光領域Ｅ２の一部に重なってもよい。
【００５２】
第２遮光部６２は、例えば、発光領域ＥＡの外縁に沿う環状である。換言すれば、第２遮光部６２は、枠状である。第２遮光部６２の形状は、これに限ることなく、発光領域ＥＡの形状や吸湿部５６の形状に応じた任意の形状でよい。
【００５３】
第３遮光部６３は、Ｘ−Ｙ平面に投影した時に、第１基板５１及び第２基板５２に重ならない位置に設けられる。すなわち、第３遮光部６３は、第１基板５１及び第２基板５２の外側に設けられる。第３遮光部６３は、第１遮光部６１と第２遮光部６２とを接続する。第３遮光部６３の一端は、第１遮光部６１の一端に接続され、第３遮光部６３の他端は、第１遮光部６１の他端に接続される。この例では、第１遮光部６１が、第３遮光部６３を介して第２遮光部６２と連続する。
【００５４】
第３遮光部６３は、Ｚ軸方向を軸とする軸周りに、第１基板５１、第２基板５２及び素子部５４を囲む。第３遮光部６３は、第１基板５１の側面、第２基板５２の側面、及び、素子部５４の側面のそれぞれと対向する。これにより、第３遮光部６３は、素子部５４から側方（Ｘ−Ｙ平面に対して平行な方向）に漏れる光を抑制する。
【００５５】
各遮光部６１〜６３には、例えば、アルミニウムやステンレスなどの金属材料が用いられる。各遮光部６１〜６３は、例えば、光反射性である。あるいは、各遮光部６１〜６３には、例えば、樹脂材料が用いられる。各遮光部６１〜６３は、例えば、第１基板５１、第２基板５２及び素子部５４の外周を囲む筺体である。なお、第２遮光部６２及び第３遮光部６３は、必要に応じて設けられ、省略可能である。
【００５６】
例えば、光透過性の照明装置において、不透明の吸湿部を用いると、吸湿部が視認されてしまい、照明装置の意匠性が低下してしまう。また、透明な吸湿部を用いた場合でも、屈折率差にともなう光の進行方向の変化などにより、吸湿部が視認されてしまう場合がある。
【００５７】
このため、照明装置では、素子部の外縁領域と重なるように吸湿部を配置し、第１基板側及び第２基板側の双方において、筺体などで吸湿部を覆い隠すことが行われている。しかしながら、このように吸湿部を両面で覆い隠す構成では、照明装置のＸ−Ｙ平面に投影した時の外形面積に対して、発光領域の面積比率が低下してしまう。
【００５８】
これに対して、本実施形態に係る照明装置１１０では、Ｘ−Ｙ平面に投影した時に、第２発光領域Ｅ２の一部に重なるように、素子部５４と第２基板５２との間に吸湿部５６を設けている。そして、照明装置１１０では、吸湿部５６が配置された第２基板５２側では第１遮光部６１で吸湿部５６を覆い、光の出射される側である第１基板５１側では発光領域ＥＡを覆わないようにする。
【００５９】
これにより、例えば、透過領域ＰＡの面積比率を、両面を覆う場合と同程度に確保したまま、発光領域ＥＡの面積比率を拡大することができる。例えば、両面を覆う場合、発光領域ＥＡの面積は、透過領域ＰＡの面積と実質的に同じである。これに対して、本実施形態に係る照明装置１１０では、発光領域ＥＡの面積を透過領域ＰＡの面積よりも大きくすることができる。また、発光時には、光のシャッター効果により、吸湿部５６が見え難くなる。従って、照明装置１１０の意匠性の低下も抑制することができる。また、照明装置１１０では、不透明な吸湿部５６を用いることもでき、吸湿部５６の材料選択性の低下を抑えることもできる。
【００６０】
第１遮光部６１は、第２基板５１と対向する対向面６１ａを有する。照明装置１１０において、対向面６１ａを反射した光のピーク波長（周波数）を、吸湿部５６で反射した光のピーク波長の０．８倍以上１．２倍以下にする。すなわち、対向面６１ａの色を吸湿部５６の色と実質的に同じにする。これにより、非発光時においても、吸湿部５６を目立たなくすることができる。照明装置１１０の意匠性の低下をより抑えることができる。
【００６１】
また、対向面６１ａの光の反射率を、吸湿部５６の光の反射率の０．８倍以上１．２倍以下にしてもよい。すなわち、対向面６１ａの反射率を吸湿部５６の反射率と実質的に同じにしてもよい。この場合にも、非発光時において、吸湿部５６を目立たなくすることができる。
【００６２】
また、対向面６１ａの光の反射率を２０％以下にしてもよい。例えば、対向面６１ａの反射率が高いと、有機層３０から放出された光の一部が対向面６１ａで反射し、発光領域ＥＡにおける輝度の均一性の低下を招いてしまうことが懸念される。従って、対向面６１ａの反射率を低くする。これにより、発光領域ＥＡ（発光面内）における輝度の均一性を高めることができる。
【００６３】
例えば、黒色の吸湿部５６を用い、対向面６１ａに黒色の塗料などを塗布する。これにより、例えば、非発光時における吸湿部５６の視認性を抑え、かつ、発光面内の輝度の均一性を高めることができる。例えば、対向面６１ａの光の反射率及び吸湿部５６の光の反射率を２０％以下にしてもよい。
【００６４】
図２（ａ）及び図２（ｂ）は、第１の実施形態に係る照明装置の一部を表す模式図である。  
図２（ａ）は、照明装置１１０の一部を表す模式的断面図であり、図２（ｂ）は、照明装置１１０の一部を表す模式的平面図である。  
図２（ａ）に表したように、有機層３０は、第１層３１を含む。有機層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００６５】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。なお、第１層３１は、これらの材料に限定されない。
【００６６】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4”−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。なお、第２層３２は、これらの材料に限定されない。
【００６７】
第３層３３は、例えば電子注入層として機能する層を含むことができる。電子注入層は、例えば、フッ化リチウム、フッ化セシウム、及び、リチウムキノリン錯体などの少なくともいずれかを含む。第３層３３は、例えば、電子輸送層として機能する層を含むことができる。電子輸送層は、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。なお、第３層３３は、これらの材料に限定されない。
【００６８】
例えば、有機層３０から放出される光は、実質的に白色光である。すなわち、照明装置１１０から出射する光は白色光である。ここで、「白色光」は、実質的に白色であり、例えば、赤色系、黄色系、緑色系、青色系及び紫色系などの白色の光も含む。有機層３０から放出される光の色温度は、例えば、２６００Ｋ以上７０００Ｋ以下である。
【００６９】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。なお、第１電極１０は、これらの材料に限定されない。
【００７０】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。なお、第２電極２０は、これらの材料に限定されない。
【００７１】
なお、第１電極１０を陰極とし、第２電極２０を陽極とし、第２層３２を電子注入層または電子輸送層として機能させ、第３層３３を正孔注入層または正孔輸送層として機能させてもよい。
【００７２】
第１電極１０の厚さ（Ｚ軸方向の長さ）は、例えば、１０ｎｍ以上５００ｎｍ以下である。より好ましくは５０ｎｍ以上２００ｎｍ以下である。有機層３０の厚さは、例えば、１０ｎｍ以上５００ｎｍ以下である。第２電極２０の厚さは、例えば、１０ｎｍ以上３００ｎｍ以下である。
【００７３】
第１基板５１及び第２基板５２には、例えば、ガラスや樹脂材料などが用いられる。第１基板５１及び第２基板５２には、例えば、ポリイミド、ＰＥＴ、ＰＥＮなどの光透過性と可撓性とを有する材料を用いてもよい。
【００７４】
吸湿部５６は、例えば、吸湿性材料と樹脂材料（バインダー）とを含む。吸湿部５６は、例えば、酸素吸着性をさらに有してもよい。
【００７５】
吸湿性材料には、例えば、酸化カルシウム、酸化バリウム、酸化ストロンチウム、酸化マグネシウム、硫酸カルシウム、塩化カルシウム、塩化リチウム、臭化カルシウム、炭酸カリウム、硫酸銅、硫酸ナトリウム、塩化亜鉛、臭化亜鉛、塩化コバルト、五酸化二リン、シリカゲル、酸化アルミニウム、ゼオライト、有機金属錯体などが用いられる。吸湿性材料は、例えば、樹脂材料に分散される。
【００７６】
樹脂材料は、例えば、光硬化性または熱硬化性を有する。熱硬化性樹脂には、例えば、エポキシ樹脂、アクリル樹脂、エポキシ樹脂とアクリル樹脂との混合物、オキセタン化合物、エポキシ樹脂とオキセタン化合物との硬化性樹脂、アクリル樹脂とオキセタン化合物との硬化性樹脂などが用いられる。光硬化性樹脂には、例えば、エポキシ樹脂を主体とする室温硬化樹脂などが用いられる。このような室温硬化樹脂としては、例えば、アミン系硬化剤、イミダゾール系硬化促進剤、アミンアダクト型硬化促進剤、リン系硬化促進剤、有機金属錯体、ポリアミンの尿素化物（ウレア変性ポリアミンなど）などが挙げられる。
【００７７】
絶縁層４０には、例えば、ポリイミド樹脂、アクリル樹脂、ポリビニルフェノール（ＰＶＰ）、ＰＭＭＡ、フッ素樹脂などの有機絶縁材料が用いられる。絶縁層４０には、例えば、シリコン酸化膜（例えばＳｉＯ２）、シリコン窒化膜（例えばＳｉＮ）、シリコン酸窒化膜（例えばＳｉＯＮ）または、フッ化マグネシウム（ＭｇＦ２）、フッ化リチウム（ＬｉＦ）、フッ化アルミニウム（ＡｌＦ３）、酸化アルミニウム（Ａｌ２Ｏ３）、酸化モリブデン（ＭｏＯｘ）、フッ化カルシウム（ＣａＦ）などの無機絶縁材料などを用いてもよい。なお、絶縁層４０は、これらの材料に限定されない。
【００７８】
図２（ｂ）に表したように、導電部２０ａの幅Ｗｔ（Ｘ軸方向の長さ）は、例えば、１μｍ以上５００μｍ以下である。複数の導電部２０ａのピッチＰｔ１は、例えば、２μｍ以上２０００μｍ以下である。より好ましくは、２μｍ以上１０００μｍ以下である。ピッチＰｔ１は、例えば、隣り合う２つの導電部２０ａのＸ軸方向の中心間のＸ軸方向の距離である。絶縁部４０ａのＹ軸方向に延在する部分の幅は、例えば、１μｍ以上１５００μｍ以下である。絶縁部４０ａのＹ軸方向に延在する部分のピッチＰｔ２は、例えば、２μｍ以上２０００μｍ以下である。
【００７９】
図３は、第１の実施形態に係る別の照明装置の一部を模式的に表す平面図である。  
図３に表したように、この例では、第２電極２０の複数の開口部２０ｂが、Ｘ軸方向に並ぶとともに、Ｙ軸方向に並ぶ。すなわち、この例では、複数の開口部２０ｂが、二次元マトリクス状に並べて配置される。導電部２０ａは、例えば、格子状である。このように、第２電極２０（導電部２０ａ）は、ストライプ状に限ることなく、格子状でもよい。
【００８０】
格子状の導電部２０ａにおいて、Ｙ軸方向に延びＸ軸方向に並ぶ部分の幅Ｗｘは、１μｍ以上５００μｍ以下である。Ｙ軸方向に延びＸ軸方向に並ぶ部分のピッチＰｘは、例えば、２μｍ以上２０００μｍ以下である。Ｘ軸方向に延びＹ軸方向に並ぶ部分の幅Ｗｙは、１μｍ以上５００μｍ以下である。Ｘ軸方向に延びＹ軸方向に並ぶ部分のピッチＰｙは、例えば、２μｍ以上２０００μｍ以下である。
【００８１】
図４（ａ）及び図４（ｂ）は、第１の実施形態に係る別の照明装置を模式的に表す断面図である。  
図４（ａ）に表したように、照明装置１１２では、第３遮光部６３が省略されている。なお、以下では、上記実施形態と機能・構成上実質的に同じものについては、同符号を付し、詳細な説明を省略する。照明装置１１０では、第３遮光部６３を設け、素子部５４から側方に漏れる光を抑制している。これとは反対に、第３遮光部６３を省略し、素子部５４の側方を開放することにより、素子部５４から側方に漏れる光を利用できるようにしてもよい。
【００８２】
図４（ｂ）に表したように、照明装置１１４では、第２遮光部６２がさらに省略されている。照明装置１１４においても、照明装置１１０と同様に、透過領域ＰＡの面積比率を、両面を覆う場合と同程度に確保したまま、発光領域ＥＡの面積比率を拡大することができる。発光時には、光のシャッター効果により、吸湿部５６を見え難くすることができる。第２基板５２側からの吸湿部５６の視認を抑制できる。このように、第１遮光部６１が少なくとも設けられていればよく、第２遮光部６２及び第３遮光部６３は省略可能である。
【００８３】
図５（ａ）及び図５（ｂ）は、第１の実施形態に係る別の照明装置を模式的に表す断面図である。  
図５（ａ）に表したように、照明装置１１６では、第１遮光部６１が、支持体６１ｓに設けられている。同様に、第２遮光部６２が、支持体６２ｓに設けられている。
【００８４】
各支持体６１ｓ、６２ｓは、光透過性を有する。各支持体６１ｓ、６２ｓは、例えば、透明である。各支持体６１ｓ、６２ｓには、例えば、ガラスや樹脂材料などが用いられる。各支持体６１ｓ、６２ｓは、板状でもよいし、可撓性を有するシート状またはフィルム状でもよい。Ｘ−Ｙ平面に投影した時の支持体６１ｓの外形形状は、第２基板５２の外形形状と実質的に同じである。Ｘ−Ｙ平面に投影した時の支持体６２ｓの外形形状は、第１基板５１の外形形状と実質的に同じである。各支持体６１ｓ、６２ｓは、例えば、各基板５１、５２を保護する。
【００８５】
この例において、第１遮光部６１は、例えば、支持体６１ｓに黒色の塗料などを塗布することによって形成される。第２遮光部６２は、例えば、支持体６２ｓに黒色の塗料などを塗布することによって形成される。このように、第１遮光部６１及び第２遮光部６２は、金属材料に限ることなく、塗料などで形成してもよい。この場合、第１遮光部６１及び第２遮光部６２は、例えば、光吸収性を有する。第１遮光部６１及び第２遮光部６２は、光反射性でもよいし、光吸収性でもよい。
【００８６】
第１遮光部６１及び第２遮光部６２に塗料などを用いる場合、第１遮光部６１及び第２遮光部６２は、光を僅かに透過させてもよい。すなわち、第１遮光部６１及び第２遮光部６２は、透過する光の強度を減衰させるものでもよい。第１遮光部６１の光の透過率及び第２遮光部６２の光の透過率は、例えば、１０％以下である。これにより、例えば、吸湿部５６の視認を適切に抑制することができる。
【００８７】
図５（ｂ）に表したように、照明装置１１８では、各支持体６１ｓ、６２ｓが省略されている。第１遮光部６１及び第２遮光部６２に塗料などを用いる場合、照明装置１１８のように、第２基板５２に塗料などを直接塗布して第１遮光部６１を形成し、第１基板５１に塗料などを直接塗布して第２遮光部６２を形成してもよい。
【００８８】
図６は、第１の実施形態に係る別の照明装置を模式的に表す断面図である。  
図６に表したように、照明装置１２０は、第１遮光部６１と第２基板５２との間に設けられた中間層６５をさらに含む。中間層６５には、例えば、スポンジやゴムなどが用いられる。中間層６５は、換言すれば、緩衝材である。これにより、例えば、金属製の第１遮光部６１が第２基板５２に接触し、第２基板５２が傷付いてしまうことなどを抑制することができる。例えば、照明装置１２０の信頼性を高めることができる。例えば、第２遮光部６２と第１基板５１との間に別の中間層をさらに設けてもよい。
【００８９】
中間層６５の色を吸湿部５６の色と実質的に同じにする。これにより、上記のように、非発光時において吸湿部５６を目立たなくすることができる。例えば、中間層６５の光の反射率を吸湿部５６の光の反射率と実質的に同じにしてもよい。中間層６５の光の反射率を２０％以下にしてもよい。
【００９０】
図７は、第１の実施形態に係る別の照明装置を模式的に表す断面図である。  
図８（ａ）及び図８（ｂ）は、第１の実施形態に係る別の照明装置を表す模式図である。  
図７に表したように、照明装置１３０は、第１遮光部６１と第２基板５２との間に設けられた回路部７０をさらに含む。回路部７０は、第１電極１０及び第２電極２０の少なくとも一方と電気的に接続される。回路部７０は、例えば、照明装置１３０の配線や照明装置１３０の点灯・消灯の制御などに用いられる。回路部７０は、スイッチング素子などの電子回路を含んでもよいし、照明装置１３０と外部の機器との電気的な接続に用いられる配線のみを含んでもよい。
【００９１】
回路部７０は、例えば、第１遮光部６１と第２基板５２との間に複数設けてもよい。例えば、第１電極１０と電気的に接続された回路部７０と、第２電極２０と電気的に接続された回路部７０と、を設けてもよい。
【００９２】
回路部７０は、例えば、第１端子部７１と第２端子部７２とを含む。第１端子部７１は、図示を省略した配線を介して第１電極１０と電気的に接続される。第２端子部７２は、図示を省略した配線を介して第２電極２０と電気的に接続される。各端子部７１、７２は、Ｚ軸方向に対して交差する方向に延在する。この例において、各端子部７１、７２は、Ｘ軸方向に延在する。各端子部７１、７２は、複数設けてもよい。例えば、Ｙ軸方向に延在する各端子部７１、７２をさらに設けてもよい。第１端子部７１及び第２端子部７２のいずれか一方のみを回路部７０に設けてもよい。
【００９３】
各端子部７１、７２は、複数の照明装置１３０をＸ−Ｙ平面と平行な方向に並べた時に、隣接する照明装置１３０の各端子部７１、７２のいずれかと電気的に接続される。各端子部７１、７２は、複数の照明装置１３０をＸ−Ｙ平面と平行な方向に並べた時に、隣接する照明装置１３０の各端子部７１、７２のいずれかに接する。
【００９４】
図８（ａ）及び図８（ｂ）に表したように、この例では、複数の照明装置１３０をＸ軸方向に並べた時に、第１端子部７１が、隣接する照明装置１３０の第２端子部７２に接し、電気的に接続される。すなわち、この例では、複数の照明装置１３０をＸ軸方向に並べるだけで、各照明装置１３０が直列に接続される。
【００９５】
このように、照明装置１３０では、複数の照明装置１３０を並べるだけで各照明装置１３０のそれぞれを電気的に接続することができる。これにより、例えば、照明装置１３０の利便性を向上させることができる。各照明装置１３０の電気的な接続は、直列接続でもよいし、並列接続でもよい。例えば、各端子部７１、７２を複数設け、使用する各端子部７１、７２の選択や、各照明装置１３０を並べる方向などによって、直列接続及び並列接続を任意に選択できるようにしてもよい。
【００９６】
図９（ａ）及び図９（ｂ）は、第１の実施形態に係る別の照明装置を模式的に表す断面図である。  
図９（ａ）に表したように、照明装置１３２では、第２基板５２と回路部７０との間に第１遮光部６１が設けられる。すなわち、照明装置１３２では、回路部７０が、第１遮光部６１の上に設けられる。このように、回路部７０は、第１遮光部６１の上に設けてもよい。
【００９７】
図９（ｂ）に表したように、照明装置１３４は、第１遮光部６１と第２基板５２との間に設けられた回路部７０（第１回路部）と、第１遮光部６１の上に設けられた回路部７０（第２回路部）と、を含む。このように、照明装置１３４は、２種類の回路部７０を含んでもよい。
【００９８】
図１０（ａ）〜図１０（ｅ）は、第１の実施形態に係る別の照明装置の一部を模式的に表す平面図である。  
図１０（ａ）〜図１０（ｅ）は、図１（ｂ）の状態に相当している。  
図１０（ａ）に表したように、照明装置１４１では、２つの吸湿部５６が、矩形状の発光領域ＥＡの対向する２つの辺に沿うように配置されている。  
図１０（ｂ）に表したように、照明装置１４２では、３つの吸湿部５６が、矩形状の発光領域ＥＡの連続する２つの辺に沿うように配置されている。換言すれば、３つの吸湿部５６が、Ｌ字状に配置されている。  
図１０（ｃ）に表したように、照明装置１４３では、１つの吸湿部５６が、矩形状の発光領域ＥＡの一辺に沿うように配置されている。  
図１０（ｄ）に表したように、照明装置１４４では、４つの吸湿部５６が、矩形状の発光領域ＥＡの４つの角部のそれぞれに配置されている。  
図１０（ｅ）に表したように、照明装置１４５では、吸湿部５６が、Ｘ−Ｙ平面に投影した時に、発光領域ＥＡを分断するように配置されている。
【００９９】
このように、吸湿部５６は、素子部５４の外縁付近において、任意に配置すればよい。但し、水分は、封止部５８の部分から侵入する可能性が高い。従って、照明装置１１０に関して説明したように、吸湿部５６は、発光領域ＥＡの外縁に沿って環状に配置する。これにより、素子部５４をより適切に水分などから保護することができる。例えば、照明装置１４５に表したように、Ｘ−Ｙ平面に投影した時に、発光領域ＥＡの一部のみに重なる吸湿部５６を含んでもよい。照明装置１４１〜１４５において、第１遮光部６１は、環状に形成してもよいし、吸湿部５６と重なる部分のみに設けてもよい。
【０１００】
図１１は、第１の実施形態に係る別の照明装置の一部を模式的に表す断面図である。  
図１１では、照明装置１５０の素子部５４のみを便宜的に図示している。第１基板５１、第２基板５２、吸湿部５６、及び、第１遮光部６１などは、上記各実施形態と同様であるから、説明を省略する。
【０１０１】
図１１に表したように、照明装置１５０では、素子部５４において、複数の有機層３０が設けられている。複数の有機層３０のそれぞれは、例えば、Ｘ−Ｙ平面に投影した時に、複数の導電部２０ａのそれぞれと重なる位置に配置される。このように、有機層３０は、第１電極１０と導電部２０ａとの間の部分にだけ設けてもよい。
【０１０２】
図１２（ａ）及び図１２（ｂ）は、第１の実施形態に係る別の照明装置を模式的に表す断面図である。  
図１２（ａ）に表したように、照明装置１５２では、第２電極２０が、開口部２０ｂを有していない。例えば、第２電極２０が、有機層３０の全体の上に設けられる。この例において、第２電極２０は、光透過性を有する。第２電極２０は、例えば、透明である。この場合には、第２電極２０の全体が、光の透過可能な部分となる。
【０１０３】
これにより、有機電界発光素子１５２では、第１電極１０と第２電極２０とを介して有機層３０に電圧を印加すると、発光部ＥＵから発せられた発光ＥＬが、第１電極１０を介して照明装置１５２の外部に出射するとともに、第２電極２０を介して照明装置１５２の外部に出射する。すなわち、照明装置１５２は、両面発光型である。
【０１０４】
照明装置１５２において、素子部５４は、第１配線層８１をさらに含む。第１配線層８１は、第１電極１０と絶縁層４０との間に設けられる。第１配線層８１は、例えば、第１電極１０と有機層３０との間に設けられる。第１配線層８１は、第１電極１０の下に設けてもよい。すなわち、第１配線層８１と有機層３０（絶縁層４０）との間に第１電極１０を設けてもよい。
【０１０５】
第１配線層８１は、開口部８１ａと、配線部８１ｂと、を有する。開口部８１ａは、第１電極１０の一部を露呈させる。第１配線層８１は、例えば、複数の開口部８１ａと、複数の配線部８１ｂと、を有する。この例において、複数の開口部８１ａのそれぞれは、Ｙ軸方向に延び、Ｘ軸方向に並ぶ。複数の配線部８１ｂは、複数の開口部８１ａのそれぞれの間に設けられる。すなわち、この例において、第１配線層８１は、ストライプ状のパターン形状である。複数の配線部８１ｂのそれぞれは、例えば、Ｘ−Ｙ平面に投影したときに、複数の絶縁部４０ａのそれぞれと重なる位置に配置される。複数の配線部８１ｂのそれぞれは、必ずしも複数の絶縁部４０ａのそれぞれと重ならなくてもよい。
【０１０６】
第１配線層８１は、第１電極１０と電気的に接続される。第１配線層８１は、例えば、第１電極１０に接する。第１配線層８１の導電率は、第１電極１０の導電率よりも高い。第１配線層８１は、光反射性を有する。第１配線層８１の光反射率は、第１電極１０の光反射率よりも高い。第１配線層８１は、例えば、金属配線である。第１配線層８１は、例えば、第１電極１０に流れる電流を伝達する補助電極として機能する。これにより、照明装置１５２では、例えば、第１電極１０に流れる電流量をより均一にできる。例えば、面内の発光輝度をより均一にできる。
【０１０７】
光透過性の第２電極２０には、例えば、第１電極１０に関して説明した材料を用いることができる。また、光透過性の第２電極２０は、例えば、ＭｇＡｇなどの金属材料でもよい。金属材料において、第２電極２０の厚さを５ｎｍ以上２０ｎｍ以下とする。これにより、適切な光透過性を得ることができる。
【０１０８】
第１配線層８１は、例えば、Ｍｏ、Ｔａ、Ｎｂ、Ａｌ、Ｎｉ及びＴｉよりなる群から選択された、少なくともいずれかの元素を含む。第１配線層８１は、例えば、この群から選択された元素を含む混合膜とすることができる。第１配線層８１は、それらの元素を含む積層膜とすることができる。第１配線層８１には、例えばＭｏＮｂ／ＡｌＮｄ／ＭｏＮｂの積層膜を用いることができる。第１配線層８１は、例えば、第１電極１０の電位降下を抑制する補助電極として機能する。第１配線層８１は、電流供給のためのリード電極として機能することができる。なお、第１配線層８１は、これらの材料に限定されない。
【０１０９】
図１２（ｂ）に表したように、照明装置１５４では、素子部５４が、第２配線層８２をさらに含む。第２配線層８２は、第２電極２０の上に設けられる。例えば、有機層３０と第２配線層８２との間に第２電極２０が設けられる。第２配線層８２は、開口部８２ａと、配線部８２ｂと、を有する。開口部８２ａは、第２電極２０の一部を露呈させる。第２配線層８２は、例えば、複数の開口部８２ａと、複数の配線部８２ｂと、を有する。この例において、複数の開口部８２ａのそれぞれは、Ｙ軸方向に延び、Ｘ軸方向に並ぶ。複数の配線部８２ｂは、複数の開口部８２ａのそれぞれの間に設けられる。すなわち、この例において、第２配線層８２は、ストライプ状のパターン形状である。この例において、複数の配線部８２ｂのそれぞれは、Ｘ−Ｙ平面に投影したときに、複数の絶縁部４０ａのそれぞれと重ならない位置に配置される。複数の配線部８２ｂのそれぞれは、例えば、Ｘ−Ｙ平面に投影したときに、複数の絶縁部４０ａのそれぞれと重なる位置に配置してもよい。
【０１１０】
第２配線層８２は、第２電極２０と電気的に接続される。第２配線層８２は、例えば、第２電極２０に接する。第２配線層８２の導電率は、第２電極２０の導電率よりも高い。第２配線層８２は、光反射性を有する。第２配線層８２の光反射率は、第２電極２０の光反射率よりも高い。第２配線層８２は、例えば、金属配線である。第２配線層８２は、例えば、第２電極２０に流れる電流を伝達する補助電極として機能する。これにより、照明装置１５４では、例えば、第２電極２０に流れる電流量をより均一にできる。例えば、面内の発光輝度をより均一にできる。
【０１１１】
第２配線層８２は、例えば、第２電極２０と有機層３０との間に設けてもよい。第２配線層８２のパターン形状は、格子状でもよい。第２配線層８２には、例えば、第１配線層８１に関して説明した材料を用いることができる。
【０１１２】
図１３は、第１の実施形態に係る別の照明装置を表す模式図である。  
図１３に表したように、本実施形態に係る照明装置１６０は、電源部９０をさらに含む。電源部９０は、第１電極１０と第２電極２０とに電気的に接続される。電源部９０は、第１電極１０及び第２電極２０を介して有機層３０に電流を供給する。これにより、電源部９０からの電流の供給によって、有機層３０から光が放出される。電源部９０は、例えば、照明装置１３２、１３４に関して説明した回路部７０のように配置してもよい。
【０１１３】
（第２の実施形態）  
図１４（ａ）〜図１４（ｃ）は、第２の実施形態に係る照明システムを表す模式図である。  
図１４（ａ）に表したように、本実施形態に係る照明システム２１１は、第１の実施形態に係る複数の照明装置（例えば照明装置１１０）と、制御部２０１と、を備える。
【０１１４】
制御部２０１は、複数の照明装置１１０のそれぞれと電気的に接続され、複数の照明装置１１０のそれぞれの発光・非発光を制御する。制御部２０１は、例えば、複数の照明装置１１０のそれぞれの第１電極１０及び第２電極２０と電気的に接続される。これにより、制御部２０１は、複数の照明装置１１０のそれぞれの発光・非発光を個別に制御する。
【０１１５】
図１４（ｂ）に表したように、照明システム２１２では、複数の照明装置１１０のそれぞれが、直列に接続されている。制御部２０１は、複数の照明装置１１０のうちの１つの照明装置１１０の第１電極１０と電気的に接続される。そして、制御部２０１は、複数の照明装置１１０のうちの別の１つの照明装置１１０の第２電極２０と電気的に接続される。これにより、制御部２０１は、複数の照明装置１１０のそれぞれの発光・非発光をまとめて制御する。このように、制御部２０１は、複数の照明装置１１０のそれぞれの発光・非発光を個別に制御してもよいし、まとめて制御してもよい。
【０１１６】
図１４（ｃ）に表したように、照明システム２１３は、電源部９０をさらに含む。この例では、照明システム２１３が、複数の電源部９０を含む。複数の電源部９０のそれぞれは、複数の照明装置１１０のそれぞれと電気的に接続されている。
【０１１７】
照明システム２１３では、制御部２０１が、複数の電源部９０のそれぞれと電気的に接続されている。すなわち、照明システム２１３では、制御部２０１が、複数の電源部９０のそれぞれを介して複数の照明装置１１０のそれぞれと電気的に接続される。制御部２０１は、例えば、各電源部９０に対して制御信号を入力する。各電源部９０は、制御部２０１からの制御信号に応じて、照明装置１１０に電流を供給し、照明装置１１０を発光させる。
【０１１８】
このように、制御部２０１は、電源部９０を介して複数の照明装置１１０の発光・非発光を制御してもよい。この例では、複数の電源部９０が、複数の照明装置１１０のそれぞれに接続されている。これに限ることなく、例えば、１つの電源部９０を複数の照明装置１１０のそれぞれに接続してもよい。例えば、１つの電源部９０が、制御部２０１からの制御信号に応じて、複数の照明装置１１０のそれぞれに選択的に電流を供給できるようにしてもよい。また、制御部２０１と電源部９０との間の電気的な接続は、有線でもよいし、無線でもよい。制御部２０１からの制御信号は、例えば、無線通信で電源部９０に入力してもよい。
【０１１９】
本実施形態に係る照明システム２１１〜２１３によれば、照明装置の発光領域の面積比率を大きくした照明システムを提供できる。
【０１２０】
実施形態によれば、発光領域の面積比率を大きくできる照明装置及び照明システムが提供される。
【０１２１】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。本願明細書において、「上に設けられる」状態は、直接接して設けられる状態の他に、間に他の要素が挿入されて設けられる状態も含む。「積層される」状態は、互いに接して重ねられる状態の他に、間に他の要素が挿入されて重ねられる状態も含む。「対向する」状態は、直接的に面する状態の他に、間に他の要素が挿入されて面する状態も含む。本願明細書において、「電気的に接続」には、直接接触して接続される場合の他に、他の導電性部材などを介して接続される場合も含む。
【０１２２】
以上、具体例を参照しつつ、本発明の実施の形態について説明した。  
しかし、本発明の実施形態は、これらの具体例に限定されるものではない。例えば、照明装置及び照明システムに含まれる、第１基板、第２基板、素子部、第１電極、第２電極、有機層、吸湿部、第１遮光部、第２遮光部、第３遮光部、中間層、回路部、電源部及び制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１２３】
その他、本発明の実施の形態として上述した照明装置及び照明システムを基にして、当業者が適宜設計変更して実施し得る全ての照明装置及び照明システムも、本発明の要旨を包含する限り、本発明の範囲に属する。
【０１２４】
その他、本発明の思想の範疇において、当業者であれば、各種の変更例及び修正例に想到し得るものであり、それら変更例及び修正例についても本発明の範囲に属するものと了解される。
【０１２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２６】
１０…第１電極、  ２０…第２電極、  ３０…有機層、  ３１…第１層、  ３２…第２層、  ３３…第３層、  ４０…絶縁層、  ５１…第１基板、  ５２…第２基板、  ５４…素子部、  ５６…吸湿部、  ５８…封止部、  ６１…第１遮光部、  ６２…第２遮光部、  ６３…第３遮光部、  ６５…中間層、  ７０…回路部、  ７１…第１端子部、  ７２…第２端子部、  ８１…第１配線層、  ８２…第２配線層、  ９０…電源部、  １１０、１１２、１１４、１１６、１１８、１２０、１３０、１３２、１３４、１４１〜１４５、１５０、１６０…照明装置、  ２０１…制御部、  ２１１〜２１３…制御システム
【図１】
2016001665.tif 000003
【図２】
2016001665.tif 000004
【図３】
2016001665.tif 000005
【図４】
2016001665.tif 000006
【図５】
2016001665.tif 000007
【図６】
2016001665.tif 000008
【図７】
2016001665.tif 000009
【図８】
2016001665.tif 000010
【図９】
2016001665.tif 000011
【図１０】
2016001665.tif 000012
【図１１】
2016001665.tif 000013
【図１２】
2016001665.tif 000014
【図１３】
2016001665.tif 000015
【図１４】
2016001665.tif 000016